(57)【要約】【課題】簡単な構成で、利用者の情報に基づいて例えば利用者が指定した地形，建物等の三次元造形モデルを作製する三次元造形作製システムを提供する。【解決手段】利用者情報を取得する端末機器１１０と端末機器から利用者情報をネットワークを介して受信する造形作製センター２００とを有し、端末機器１１０は利用者情報を入力する入力部１２０と入力部で入力した利用者情報をネットワークを介して造形作製センターに送信する通信部１３０とを備え、造形作製センター２００は端末機器からの利用者情報を受信する通信部２１０と通信部２１０で受信した利用者情報に基づいて造形データを生成する処理部２３０と処理部２３０で生成した造形データに基づいて三次元造形モデルを作製する造形部２４１と造形部２４１で作製した三次元造形モデルを当該利用者に提供する発送部２５０とを備えた造形作製システム１０を構成する。【選択図】図１
2009294804.tif 000002
【特許請求の範囲】
【請求項１】
各所に配置され、利用者情報を取得する端末機器と、上記端末機器から利用者情報をネットワークを介して受信する造形作製センターと、を有し、上記造形作製センターは、上記端末機器からの利用者情報に基づいて造形データを生成し、この造形データにより三次元造形モデルを作製して利用者に提供する造形作製システムであって、
上記端末機器は、利用者情報を入力するための入力部と、入力部で入力された利用者情報をネットワークを介して上記造形作製センターに送信する通信部と、を備え、
上記造形作製センターは、
上記端末機器からネットワークを介して送られて来る利用者情報を受信する通信部と、
上記通信部で受信した利用者情報に基づいて造形データを生成する処理部と、
上記処理部で生成された造形データに基づいて三次元造形モデルを作製する造形部と、
上記造形部で作製された三次元造形モデルを当該利用者に提供する発送部と、
を備えていることを特徴とする、造形作製システム。
【請求項２】
前記利用者情報は、当該利用者が指定する造形対象識別情報と、当該利用者を特定する利用者識別情報であって、
前記造形作製センターの処理部は、上記造形対象識別情報に基づいて造形対象の造形データを生成し、
前記造形作製センターの発送部は、上記利用者識別情報に基づいて三次元造形モデルを当該利用者に提供することを特徴とする、請求項１に記載の造形作製システム。
【請求項３】
前記造形作製センターの処理部は、前記造形対象識別情報に基づいてネットワークを介して造形データサーバから造形データを読み出すことを特徴とする、請求項２に記載の造形作製システム。
【請求項４】
前記利用者情報は、当該利用者に関する測定情報と、当該利用者を特定する利用者識別情報であって、
前記造形作製センターの処理部は、上記測定情報に基づいて造形対象の造形データを演算により作製し、
前記造形部は、上記造形データに基づいて三次元造形モデルを作製し、さらに上記測定情報に基づいて三次元造形モデルの表面の少なくとも一部の領域に当該利用者の画像を形成し、
前記造形作製センターの発送部は、上記利用者識別情報に基づいて三次元造形モデルを当該利用者に提供することを特徴とする、請求項１に記載の造形作製システム。
【請求項５】
前記造形対象識別情報は、当該利用者により選択された指定情報を含み、
前記造形作製センターの処理部は、前記造形対象識別情報の指定情報に基づいて上記指定情報に対応する第二の造形データを読み出し、前記造形データに付加して新たな造形データを生成し、
前記造形作製センターの発送部は、上記利用者識別情報に基づいて三次元造形モデルを当該利用者に提供することを特徴とする、請求項４に記載の造形作製システム。
【請求項６】
前記造形作製センターの処理部は、ネットワークを介して造形データサーバから第二の造形データを読み出すことを特徴とする、請求項５に記載の造形作製システム。
【請求項７】
前記利用者情報は、当該利用者に関する測定情報と、当該利用者により選択された指定情報と、当該利用者を特定する利用者識別情報であって、
前記造形作製センターは、加工部と上記加工部により加工された加工部品を前記三次元造形モデルに組み込む組立部と、を備え、
上記加工部は、上記指定情報に基づいて加工部品を加工し、
上記組立部は、上記加工部により加工された加工部品を前記造形部により作製された三次元造形モデルに組み込み、
前記造形作製センターの発送部は、上記利用者識別情報に基づいて三次元造形モデルを当該利用者に提供することを特徴とする、請求項１に記載の造形作製システム。
【請求項８】
前記端末機器は、店舗内に配置されており、
前記発送部は、三次元造形モデルを、当該利用者が利用した店舗または当該利用者が指定した店舗に配送することを特徴とする、請求項１，４〜７の何れかに記載の造形作製システム。
【発明の詳細な説明】
【技術分野】
【０００１】
本発明は、利用者の情報に基づいて三次元造形モデルを作製する造形作製システムに関し、特に各所に配置された端末機器からネットワークを介して造形作製センターで三次元造形モデルを作製する造形作製システムに関するものである。
【背景技術】
【０００２】
従来、例えば地形図や建物を立体化した三次元造形モデルは、既製品として店頭に展示してあるものや通信販売やネットショッピング等に出品されているものを購入している。
また、利用者を象った人型の三次元造形モデルは、例えば三次元造形機を使用すれば作製することができる。
【０００３】
さらに、メガネフレームは、従来、市販されているものの中から、利用者自身の顔の輪郭や瞳間距離等を勘案して、適宜のサイズで且つ気に入ったデザインのものを選んでいる。
【発明の開示】
【発明が解決しようとする課題】
【０００４】
しかしながら、地形図の三次元モデルの場合には、例えば有名な山等に限定されていて、種類が少なく、所望の地域の三次元モデルを入手することは困難であった。
【０００５】
また、建物の三次元モデルの場合には、例えば有名な建物等に限定されており、自宅の三次元モデルを入手したい場合には、高価な特注品あるいは自作になり、一般的に入手が困難である。
【０００６】
さらに、人型の三次元造形モデルの場合には、人間の身体全体の三次元データを取得するような測定機は大型で高価であると共に、三次元造形機も高価であり、個人が手軽に利用することは不可能であった。
【０００７】
また、メガネフレームにおいては、既製品の中からデザインや大きさに基づいて選ぶことになるため、利用者自身にぴったりの大きさのものを選ぶことが困難であり、所謂オーダーメイドのものは高価であった。
【０００８】
本発明は、以上の点に鑑み、簡単な構成により利用者の情報に基づいて、例えば利用者が指定した地形，建物や利用者自身の三次元造形モデル、あるいは利用者にぴったり合ったサイズのメガネフレーム等の三次元造形モデルを作製することができるようにした、三次元造形作製システムを提供することを目的としている。
【課題を解決するための手段】
【０００９】
上記目的は、本発明によれば、各所に配置され、利用者情報を取得する端末機器と端末機器から利用者情報をネットワークを介して受信する造形作製センターとを有し、造形作製センターは、端末機器からの利用者情報に基づいて造形データを生成し、この造形データにより三次元造形モデルを作製して利用者に提供する造形作製システムであって、端末機器は、利用者情報を入力するための入力部と、入力部で入力された利用者情報をネットワークを介して造形作製センターに送信する通信部と、を備え、造形作製センターは、端末機器からネットワークを介して送られて来る利用者情報を受信する通信部と、通信部で受信した利用者情報に基づいて造形データを生成する処理部と、処理部で生成された造形データに基づいて三次元造形モデルを作製する造形部と、造形部で作製された三次元造形モデルを当該利用者に提供する発送部と、を備えていることを特徴とする造形作製システムにより達成される。
【００１０】
本発明による造形作製システムは、好ましくは、利用者情報が当該利用者が指定する造形対象識別情報と当該利用者を特定する利用者識別情報であって、造形作製センターの処理部は、造形対象識別情報に基づいて造形対象の造形データを生成し、造形作製センターの発送部は、利用者識別情報に基づいて三次元造形モデルを当該利用者に提供する。
【００１１】
本発明による造形作製システムは、好ましくは、造形作製センターの処理部は、造形対象識別情報に基づいてネットワークを介して造形データサーバから造形データを読み出す。
【００１２】
本発明による造形作製システムは、好ましくは、利用者情報が当該利用者に関する測定情報と当該利用者を特定する利用者識別情報であって、造形作製センターの処理部は、測定情報に基づいて造形対象の造形データを演算により作製し、造形部は、造形データに基づいて三次元造形モデルを作製し、さらに測定情報に基づいて三次元造形モデルの表面の少なくとも一部の領域に当該利用者の画像を形成し、造形作製センターの発送部は、利用者識別情報に基づいて三次元造形モデルを当該利用者に提供する。
【００１３】
本発明による造形作製システムは、好ましくは、造形対象識別情報が当該利用者により選択された指定情報を含み、造形作製センターの処理部は、造形対象識別情報の指定情報に基づいて指定情報に対応する第二の造形データを読み出し、造形データに付加して新たな造形データを生成し、造形作製センターの発送部は、利用者識別情報に基づいて三次元造形モデルを当該利用者に提供する。
【００１４】
本発明による造形作製システムは、好ましくは、造形作製センターの処理部が、ネットワークを介して造形データサーバから第二の造形データを読み出す。
【００１５】
本発明による造形作製システムは、好ましくは、利用者情報は、当該利用者に関する測定情報と当該利用者により選択された指定情報と当該利用者を特定する利用者識別情報であって、造形作製センターは、加工部と加工部により加工された加工部品を三次元造形モデルに組み込む組立部とを備え、加工部は指定情報に基づいて加工部品を加工し、組立部は加工部により加工された加工部品を造形部により作製された三次元造形モデルに組み込み、造形作製センターの発送部は、利用者識別情報に基づいて三次元造形モデルを当該利用者に提供する。
【００１６】
本発明による造形作製システムは、好ましくは、端末機器が店舗内に配置されており、発送部は、三次元造形モデルを当該利用者が利用した店舗または当該利用者が指定した店舗に配送する。
【発明の効果】
【００１７】
上記構成によれば、端末機器の入力部から利用者情報が入力されることにより、端末機器の通信部がこの利用者情報をネットワークを介して造形作製センターに送信する。これにより、造形作製センターの通信部が端末機器からネットワークを介して送られて来る利用者情報を受信して、その処理部に出力する。そして、造形作製センターの処理部は、この利用者情報に基づいて三次元造形モデルの造形データを生成して造形部に出力する。
【００１８】
造形作製センターの造形部は、この造形データに基づいて利用者情報に対応した三次元造形モデルを作製して、発送部に送る。最後に、造形作製センターの発送部は、完成した三次元造形モデルを当該利用者に配送等により提供する。
【００１９】
このようにして、利用者は、端末機器から利用者情報を入力することによって造形作製センターで作製された利用者情報に対応した三次元造形モデルを入手することができる。
【００２０】
よって、利用者は、三次元造形モデルを作製するための造形データの生成処理や三次元造形機による造形を自ら行なう必要がなく、手軽に三次元造形モデルを入手することが可能になる。
【００２１】
利用者情報が当該利用者が指定する造形対象識別情報と当該利用者を特定する利用者識別情報であって、造形作製センターの処理部が造形対象識別情報に基づいて造形対象の造形データを生成し、造形作製センターの発送部が利用者識別情報に基づいて三次元造形モデルを当該利用者に提供する場合には、利用者は端末機器の入力部により、例えば地形，建物等の造形対象識別情報を指定すると共に、利用者識別情報を入力する。これにより、端末機器は、ネットワークを介して造形作製センターに対して造形対象識別情報及び利用者識別情報を送信する。
【００２２】
これを受けて、造形作製センターの処理部は、造形対象識別情報に基づいて造形対象である地形，建物等の造形データを生成し、この造形データに基づいて造形作製センターの造形部が地形，建物等の三次元造形モデルを作製する。従って、利用者は、所望の地形や建物等の三次元造形モデルを容易に入手することができる。
【００２３】
造形作製センターの処理部が、造形対象識別情報に基づいてネットワークを介して造形データサーバから造形データを読み出す場合には、地形，建物等の造形対象の造形データが前もって造形データサーバに登録されていることにより、造形作製センター自体がこれらの造形データを記憶部に登録しておく必要がないので、造形作製センターの負担が軽減される。
【００２４】
利用者情報が、当該利用者に関する測定情報と当該利用者を特定する利用者識別情報であって、造形作製センターの処理部が測定情報に基づいて造形対象の造形データを演算により作製し、造形部が造形データに基づいて三次元造形モデルを作製し、さらに測定情報に基づいて三次元造形モデルの表面の少なくとも一部の領域に当該利用者の画像を形成し、造形作製センターの発送部が、利用者識別情報に基づいて三次元造形モデルを当該利用者に提供する場合には、端末機器の入力部から例えば利用者の身体の三次元データ等の測定情報を入力することにより、利用者自身を象った三次元造形モデルを容易に作製すると共に、その三次元造形モデルの一部、例えば顔部分に対して利用者自身の顔の画像を形成して、所謂利用者自身のフィギュアモデルを作製することができる。
【００２５】
造形対象識別情報が当該利用者により選択された指定情報を含み、造形作製センターの処理部が造形対象識別情報の指定情報に基づいて指定情報に対応する第二の造形データを読み出し、造形データに付加して新たな造形データを生成し、造形作製センターの発送部が利用者識別情報に基づいて三次元造形モデルを当該利用者に提供する場合には、利用者自身のフィギュアモデルに対して、指定情報に基づいて例えばキャラクタ，動物等のフィキュアモデルを付加することができる。
【００２６】
造形作製センターの処理部がネットワークを介して造形データサーバから第二の造形データを読み出す場合には、例えば造形データサーバに登録されている各種キャラクタ等に関する第二の造形データを容易に取得することができる。
【００２７】
利用者情報が当該利用者に関する測定情報と当該利用者により選択された指定情報と当該利用者を特定する利用者識別情報であって、造形作製センターが加工部と加工部により加工された加工部品を前記三次元造形モデルに組み込む組立部とを備え、加工部が指定情報に基づいて加工部品を加工し、組立部が加工部により加工された加工部品を造形部により作製された三次元造形モデルに組み込み、造形作製センターの発送部が利用者識別情報に基づいて三次元造形モデルを当該利用者に提供する場合には、例えば利用者の頭部形状等及び適正な矯正視力を与えるレンズデータから成る測定情報と、メガネフレームのデザイン等を指定する指定情報に基づいて造形作製センターの造形部が利用者の頭部形状等の測定情報及び指定情報に基づいて利用者の顔の輪郭にぴったり合った三次元造形モデルとしてのメガネフレームを作製すると共に、加工部がレンズデータにより選定されたレンズを当該メガネフレームに合わせて加工し、組立部が当該メガネフレームに加工済みのレンズを組み込んでメガネを完成される。従って、利用者は、所望するデザインで且つ自分の顔の輪郭にぴったり合ったメガネを入手することができる。
【００２８】
端末機器が店舗内に配置されており、発送部が三次元造形モデルを当該利用者が利用した店舗または当該利用者が指定した店舗に配送する場合には、利用者は、店舗に出向いて端末機器の入力部から利用者情報を入力することにより三次元造形モデルを注文することができると共に、完成した三次元造形モデルを店舗で受け取ることができる。
【００２９】
このようにして、本発明によれば、簡単な構成により利用者の情報に基づいて、例えば利用者が指定した地形，建物や利用者自身の三次元造形モデル、あるいは利用者にぴったり合ったサイズのメガネフレーム等の三次元造形モデルを作製することができる。
【発明を実施するための最良の形態】
【００３０】
以下、図面に示した実施形態に基づいて本発明を詳細に説明する。
［第一実施形態］
図１は、本発明による造形作製システムの第一実施形態の構成を示している。
【００３１】
図１において、造形作製システム１０は、造形作製システム２００と、造形データサーバとしての地図提供センター４００と、から構成され、利用者１００が、端末機器１１０及びネットワーク３００を介してこれらを利用する。なお、図１においては、利用者１００は一人だけ図示されているが、一人に限定されるものではない。
【００３２】
ネットワーク３００は、造形作製センター２００及び地図提供センター４００と各利用者１００の端末機器１１０との間を相互に接続するインターネット，アナログ及びデジタルの携帯電話を含む一般公衆回線網あるいは専用回線網，無線ＬＡＮ等のネットワーク、具体的には例えばＴＣＰ／ＩＰ等の所定のプロトコル環境下のインターネット接続サービスを提供するネットワークであって、インターネット接続サービスを提供するものである。
【００３３】
利用者１００は、端末機器１１０により地図提供センター４００にアクセスして、造形作製しようとする地形あるいは建物等の造形作製対象を選択し、選択した造形作製対象に関して造形作製センター２００により三次元造形モデルを作製しようとする者であって、ネットワーク３００を介して造形作製センター２００及び地図提供センター４００にアクセスし、造形作製センター２００及び地図提供センター４００が提供するＷｅｂサイトにアクセスすることができる。
ここで、端末機器１１０としては、パーソナルコンピュータや、携帯電話，ＰＨＳを含む各種情報端末機器を使用することができる。
【００３４】
端末機器１１０は、図示しない本体及び表示部に加えて、キーボード，マウス等の入力部１２０と、ネットワーク３００に接続するための通信部１３０を備えている。そして、端末機器１１０は、ネットワーク３００を介して地図提供センター４００にアクセスすることにより、地図提供のＷｅｂページを表示部に表示する。
【００３５】
ここで、Ｗｅｂページ上のある位置が利用者１００によりクリックされると、地図提供センター４００は、端末機器１１０に対し当該位置に関する位置情報４０１をネットワーク３００を介して送信する。端末機器１１０は、この位置情報を造形対象識別情報１１１としてネットワーク３００を介して造形作製センター２００に送信する。
【００３６】
その際、端末機器１１０は、造形対象識別情報１１１を送信すると同時に、利用者識別情報１１２を造形作製センター２００に送信する。この利用者識別情報１１２は、利用者１００の氏名，住所等の利用者を特定する情報であって、少なくとも完成した三次元造形モデルを受け取るために必要な情報を含んでいる。
【００３７】
地図提供センター４００は、適宜の箇所に設けられたワークステーション，サーバ等の情報処理装置から構成されており、既存の地図提供サイトを利用することも可能である。
【００３８】
地図提供センター４００は、ネットワーク３００を介してアクセスしてきた利用者１００の端末機器１１０に対してＷｅｂページとして地図を提供すると共に、端末機器１１０からの指令に対応してこの指令に基づいた位置及び縮尺で地図画面をネットワーク３００を介して利用者１００の端末機器１１０に対して送信する。
【００３９】
さらに、地図提供センター４００は、端末機器１１０からのクリックによる選択に基づいて、このクリック位置に対応する位置情報４０１をネットワーク３００を介して利用者１００の端末機器１１０に対して送信する。
【００４０】
造形作製センター２００は、適宜の箇所に設けられたワークステーション，サーバ等の情報処理装置から構成されており、通信部２１０と、記憶部２２０と、処理部２３０と、造形部２４０と、発送部２５０と、を有している。
【００４１】
なお、管理センター２００での処理は、プログラムに制御されたサーバ，ワークステーション等のコンピュータにより実行され、記録媒体としては、例えば磁気ディスク，半導体メモリ，その他の任意のコンピュータで読み取り可能なものが使用される。また、記録媒体に記録されたプログラムは、記録媒体を直接コンピュータに装着して当該コンピュータに読み込ませてもよく、また各種ネットワークを介してコンピュータに読み込ませるようにしてもよい。
【００４２】
通信部２１０は、前もって登録された入力案内情報２１１を、ネットワーク３００を介してアクセスしてきたユーザ１００の端末装置１１０に送信し、この端末装置１１０の表示部の画面上に提示すると共に、ユーザ１００の端末装置１１０から送られてくる造形対象識別情報１１１及び利用者識別情報１１２を受信して記憶部２２０に登録すると共に、処理部２３０に送出する。この入力案内情報２１１は、通信部２１０に登録されていても、また後述する記憶部２２０に登録されていてもよい。
【００４３】
ここで、入力案内情報２１１は、例えば利用者１００の氏名，住所，電話番号等の利用者識別情報１１２やメールアドレス等の各項目の入力欄を含んでおり、ネットワーク３００を介して当該利用者１００の端末機器１１０に送信されることより、端末機器１１０の表示部の画面上に提示される。
【００４４】
そして、端末装置１１０の表示部の画面上において、利用者１００により入力部１２０から入力案内情報２１１の各入力欄が入力される。これにより、端末装置１１０はこれらの入力項目の入力内容、すなわちユーザ識別情報１１２を造形対象識別情報１１１と共にネットワーク３００を介して造形作製センター２００に送信する。
【００４５】
造形作製センター２００の処理部２３０は、通信部２１０から造形対象識別情報１１１を受け取ったとき、造形対象識別情報１１１に基づいて、データ変換により造形対象である地形，建物等の造形データ２３１すなわち例えば三次元ＣＡＤデータを生成する。
【００４６】
その際、処理部２３０は、必要に応じて通信部２１０そしてネットワーク３００を介して地図提供センター４００にアクセスして造形データの生成に必要な当該地形の等高線データを読み出す。あるいは、処理部２３０は、必要に応じて通信部２１０そしてネットワーク３００を介して当該建物に関するデータの提供元にアクセスして、当該建物の詳細データを読み出すようにしてもよい。なお、上述した地形の等高線データや建物の詳細データは、造形作製センター２００の記憶部２２０に前もって登録しておいてもよい。
【００４７】
続いて、造形作製センター２００の処理部２３０は、生成した造形データ２３１を造形部２４０に出力する。これにより、造形部２４０は、この造形データ２３１としての三次元ＣＡＤデータに基づいて、造形対象である地形，建物等の三次元造形モデル２４１を作製して発送部２５０に搬送する。
【００４８】
発送部２５０は、造形部２４０で作製した三次元造形モデル２４１に関して、対応する利用者識別情報１１２を記憶部２２０から読み出して発送伝票２５１を作製し、この発送伝票２５１に基づいて当該三次元造形モデルを利用者１００向けに発送する。この場合、発送先としては、利用者１００の自宅あるいは利用者１００が指定する場所であり、あるいは造形作製センター２００側で用意する店舗等の引き渡し場所であってもよい。
【００４９】
本発明の実施形態による造形作製システム１０は以上のように構成されており、その動作について、図２のフローチャートを参照して説明する。
まずステップＳＴ１において、利用者１００が端末機器１１０によりネットワーク３００を介して地図提供センター４００にアクセスする。
そして、ステップＳＴ２において、利用者１００は、端末機器１１０の表示部に表示されている画面を見ながら、所望の地形を含む地図を表示させる。ここで、ステップＳＴ３において、利用者１００は、三次元造形モデルを作製したい所望の地形部分をクリックする。
【００５０】
続いて、ステップＳＴ４において、地図提供センター４００は、ネットワーク３００を介して利用者１００の端末機器１１０に対してクリックされた当該地形部分に関する位置情報４０１を送信する。
【００５１】
これを受けて利用者１００は、上述した位置情報４０１を受け取った後、ステップＳＴ５において、ネットワーク３００を介して造形作製センター２００にアクセスし、ステップＳＴ６において、造形作製センター２００から送られて来る入力案内情報２１１による案内画面に従ってその各入力欄に入力する。
【００５２】
端末機器１１０はステップＳＴ７において、上記位置情報４０１を造形対象識別情報１１１として、また案内画面の各入力欄の入力情報を利用者識別情報１１２として、ネットワーク３００を介して造形作製センター２００に送信する。
【００５３】
造形作製センター２００の通信部２１０はステップＳＴ８において、利用者１００の端末機器１１０からの造形対象識別情報１１１と利用者識別情報１１２を関連付けて記憶部２２０に登録すると共に、ステップＳＴ９において造形対象識別情報１１１を処理部２３０に送出する。
【００５４】
ステップＳＴ１０において、造形作製センター２００の処理部２３０は、造形対象識別情報１１１に基づいてデータ変換を行なって、造形対象である地形，建物等の造形データ２３１、すなわち例えば三次元ＣＡＤデータを生成して造形部２４０に送出する。
【００５５】
これを受けて、ステップＳＴ１１において、造形作製センター２００の造形部２４０は、この造形データ２３１としての三次元ＣＡＤデータに基づいて、利用者１００が指定した地形，建物等の造形対象の三次元造形モデル２４１を作製して、発送部２５０に搬送する。
【００５６】
最後に、ステップＳＴ１２において、造形作製センター２００の発送部２５０は、造形部２４０からの三次元造形モデル２４１に関して、対応する利用者情報１１２を記憶部２２０から読み出して、この利用者情報１１２に基づいて発送伝票２５１を作製して、この発送伝票を当該三次元造形モデル２４１に添付して利用者１００向けに発送する。
以上で、利用者１００が選択した地形，建物等の造形対象の三次元造形モデル２５１が利用者１００の元に届けられることになる。
【００５７】
［第二実施形態］
図３は、本発明による造形作製システムの第二の実施形態の構成を示している。
図３において、造形作製システム２０は、図１に示した造形作製システム１０と同様の構成であり、同じ構成要素には同じ符号を付してその説明を省略する。
【００５８】
ここで、造形作製システム２０は、図１に示した造形作製システム１０の端末機器１１０の代わりに、適宜の箇所に設けられた店舗５００の店頭に端末機器５１０を備えており、また造形作製センター２００が仕上げ部２６０を備えていると共に、地図提供センター４００が省略されており、上記の点で図１の造形作製システム１０と異なる構成になっている。
【００５９】
店舗５００の端末機器５１０は、図１の造形作製システム１０における端末機器１１０と同様に、キーボード，マウス等の入力部５２０及びネットワーク３００に接続される通信部５３０を備えていると共に、さらに測定部５４０を備えている。
【００６０】
測定部５４０は、利用者１００の測定情報として、例えばレーザスキャン等によって利用者１００の全身の三次元データ５４１を取得すると共に、ＣＣＤカメラ等によって利用者１００の全身の例えば前後及び側方の画像データ５４２を撮像する。
【００６１】
続いて、端末機器１１０は、測定部５４０で得られた三次元データ５４１及び画像データ５４２を造形対象識別情報１１１として、ネットワーク３００を介して造形作製センター２００に送信する。
【００６２】
造形作製センター２００の処理部２３０は、通信部２１０を介して得られた造形対象識別情報１１２のうち、三次元データ５４１に基づいてデータ変換により三次元ＣＡＤデータである造形データ２３１を生成する。
【００６３】
さらに、造形作製センター２００の造形部２４０は、造形データ２３１に基づいて造形対象である利用者１００の全身像（フィギュア）の三次元造形モデル２４１を作製する。
【００６４】
造形作製センター２００の仕上げ部２６０は、造形部２４０で作製された三次元造形モデル２４１に関して、その少なくとも一部例えば顔部分に感光剤を塗布すると共に、対応する画像データ５４２に基づいて、例えば利用者１００の少なくとも一部例えば顔部分の画像データを作製し、この画像データによる画像を三次元造形モデル２４１の顔部分に照射し、感光剤を露光させて現像する。
これにより、三次元造形モデル２４１の顔部分に利用者１００の顔写真が備えられることになる。
【００６５】
なお、三次元造形モデル２４１の全体に感光剤を塗布して、利用者１００の全身写真の画像を三次元造形モデル２４１に照射し露光させることによって、三次元造形モデル２４１全体に利用者１００の着衣も含めて全身写真を備えるようにしてもよい。
【００６６】
次に、上述した造形作製システム２０の動作を、図４のフローチャートを参照して説明する。
【００６７】
図４において、まずステップＳＴ２１において、利用者１００が店舗５００に出向いて、端末機器５１０の測定部５４０により利用者１００自身の全身の三次元データ５４１及び画像データ５４２を取得する。
【００６８】
そして、ステップＳＴ２２において利用者１００は、端末機器５１０によりネットワーク３００を介して造形作製センター２００にアクセスし、ステップＳＴ２３において造形作製センター２００から送られて来る入力案内情報２１１による案内画面に従ってその各入力欄に入力する。
【００６９】
これにより、端末機器５１０は、ステップＳＴ２４において、三次元データ５４１及び画像データ５４２を造形対象識別情報１１１として、また案内画面の各入力欄の入力情報を利用者識別情報１１２として、ネットワーク３００を介して造形作製センター２００に送信する。
【００７０】
造形作製センター２００の通信部２１０は、ステップＳＴ２５において、店舗５００の端末機器５１０からの造形対象識別情報１１１と利用者識別情報１１２を関連付けて記憶部２２０に登録すると共に、ステップＳＴ２６において、造形対象識別情報１１１を処理部２３０に送出する。
【００７１】
続いて、ステップＳＴ２７において、造形作製センター２００の処理部２３０は、造形対象識別情報１１１に基づいてデータ変換を行なって、造形対象である利用者１００の全身の造形データ２３１、すなわち例えば三次元ＣＡＤデータを生成して、造形部２４０に送出する。
【００７２】
これを受けて、ステップＳＴ２８において、造形作製センター２００の造形部２４０は、この造形データ２３１としての三次元ＣＡＤデータに基づいて、利用者１００自身の全身の三次元造形モデル２４１を作製して仕上げ部２６０に搬送する。
【００７３】
次に、ステップＳＴ２９において、造形作製センター２００の仕上げ部２６０は、造形部２４０で作製された利用者１００の全身像である三次元造形モデル２４１に関して、その少なくとも一部、例えば顔部分に感光剤を塗布する。
【００７４】
続いて、ステップＳＴ３０において、造形作製センター２００の仕上げ部２６０は、対応する画像データ５４２に基づいて、例えば利用者１００の少なくとも一部、例えば顔部分の画像データを作製する。
【００７５】
その後、ステップＳＴ３１において、造形作製センター２００の仕上げ部２６０は、この画像データによる画像を三次元造形モデル２４１の顔部分に照射し、感光剤を露光させ現像する。これにより、三次元造形モデル２４１の顔部分に、利用者１００の顔写真が備えられることになる。そして、仕上げ部２６０は、感染した三次元造形モデル２４１を発送部２５０に搬送する。
【００７６】
最後に、ステップＳＴ３２において、造形作製センター２００の発送部２５０は、仕上げ部２６０からの三次元造形モデル２４１に関して、対応する利用者情報１１２を記憶部２２０から読み出して、この利用者情報１１２に基づいて発送伝票２５１を作製して、この発送伝票を当該三次元造形モデル２４１に添付して利用者１００向けに発送する。
以上で、利用者１００自身の全身像である三次元造形モデル２５１が利用者１００の元に届けられることになる。
【００７７】
上述した造形作製システム２０においては、利用者１００自身の全身像の三次元造形モデル２５１を作製する場合について説明したが、この応用例として、利用者１００の全身像と例えばキャクラタの像とを並べて一体化した三次元造形モデル２５１を作製することも可能である。
【００７８】
この場合、利用者１００は、店舗５００の端末機器５１０の入力部５２０により所望のキャラクタを指定して、この指定情報５１１を三次元データ５４１及び画像データ５４２と共に、造形対象識別情報１１１としてネットワーク３００を介して造形作製センター２００に送信する。
【００７９】
また、造形作製センター２００の処理部２３０はこの指定情報５１１に基づいて、記憶部２２０またはネットワーク３００を介して当該キャクラタの提供元である造形データサーバ（図示せず）にアクセスして、当該キャラクタの造形データ（第二の造形データ）２３２を読み出す。
【００８０】
そして、造形作製センター２００の処理部２３０は、利用者１００自身の全身像に関する造形データ２３１に対して、この第二の造形データ２３２を付加して、新たな造形データ２３１として造形部２４０に出力する。これにより、造形部２４０は、利用者１００自身の全身像とキャラクタの像が組み合わされた三次元造形モデル２４１を作製する。
【００８１】
また、造形作製センター２００の発送部２５０は、完成した三次元造形モデル２４１を、利用者識別情報１１２に基づいて、利用者１００の自宅または利用者１００が指定する場所に発送し、あるいは利用者１００が出向いた店舗５００に向けて発送する。従って、利用者１００は、利用者１００自身の全身像と所望のキャクラタとが並んで一体となった三次元造形モデル２５１を入手することができる。
【００８２】
［第三実施形態］
図５は、本発明による造形作製システムの第三の実施形態の構成を示している。
図５において、造形作製システム３０は、図３に示した造形作製システム２０と同様の構成であり、同じ構成要素には同じ符号を付してその説明を省略する。
【００８３】
ここで、造形作製システム３０は、図３に示した造形作製システム２０とは以下の点で異なる構成になっている。すなわち、店舗５００の端末機器５１０における測定部５４０は、利用者１００の頭部の詳細形状、すなわち顔の輪郭，鼻の形状等を測定して測定情報５４１を生成する。また、端末機器５１０の入力部５２０には、別途測定した利用者１００の適正な矯正視力を与えるレンズデータ，瞳間距離等及び利用者１００の指定するメガネフレームのデザイン及び色等が指定情報５１１として入力される。
【００８４】
これに対して、造形作製センター２００の処理部は、この指定情報５１１に基づいて、記憶部２２０またはネットワーク３００を介して当該メガネフレームデザインの提供元である造形データサーバ（図示せず）にアクセスして、指定情報５１１に対応するメガネフレームに関する数値データ２３３を読み出す。
【００８５】
そして、造形作製センター２００の処理部２３０は、この数値データ２３３に基づいて、指定情報５１１に含まれる瞳間距離及び測定情報５１１を考慮して演算を行なって造形データ２３１を生成し、造形部２４０に出力する。
これにより、造形部２４０は、造形データ２３１に基づいて三次元造形モデル２４１としてメガネフレームを作製する。
【００８６】
さらに、造形作製センター２００は、仕上げ部２６０の代わりに、メガネレンズの加工を行なう加工部２７０と、メガネフレームにメガネレンズを組み込む組立部２８０と、を備えている。この加工部２７０は、上記指定情報５１１に含まれるレンズデータに基づいてメガネレンズを加工して組立部２８０に搬送する。
【００８７】
また、造形作製センター２００の組立部２８０は、造形部２４０で作製された三次元造形モデルとしてのメガネフレームに対して、加工部２７０で加工されたメガネレンズを組み込んでメガネとして組立調整を行ない、発送部２５０に搬送する。
【００８８】
次に、上述した造形作製システム３０の動作を、図６のフローチャートを参照して説明する。
【００８９】
まずステップＳＴ４１において、利用者１００が店舗５００に出向いて、端末機器５１０の測定部５４０により利用者１００の頭部形状に関する三次元データ５４１を取得する。
【００９０】
そして、ステップＳＴ４２において、利用者１００は、端末機器５１０によりネットワーク３００を介して造形作製センター２００にアクセスして、ステップＳＴ４３において、造形作製センター２００から送られて来る入力案内情報２１１による案内画面に従って、その各入力欄に入力すると共に、適正な矯正視力を与えるレンズデータ及びメガネフレームのデザイン，色等の指定情報５１１を入力する。
【００９１】
端末機器５１０は、ステップＳＴ４４において、三次元データ５４１を造形対象識別情報１１１として、また案内画面の各入力欄の入力情報を利用者識別情報１１２及び指定情報５１１として、ネットワーク３００を介して造形作製センター２００に送信する。
【００９２】
従って、造形作製センター２００の通信部２１０は、ステップＳＴ４５において、店舗５００の端末機器５１０からの造形対象識別情報１１１，利用者識別情報１１２及び指定情報５１１を関連付けて記憶部２２０に登録すると共に、ステップＳＴ４６において、造形対象識別情報１１１及び指定情報５１１を処理部２３０に送出する。
【００９３】
ステップＳＴ４７において、造形作製センター２００の処理部２３０は、造形対象識別情報１１１に基づいて、造形対象であるメガネフレームの数値データを図示しない造形データサーバから取得して、データ変換を行なって三次元ＣＡＤデータである造形データ２３１を生成して造形部２４０に送出する。
【００９４】
これを受けて、ステップＳＴ４８において、造形作製センター２００の造形部２４０は、この造形データ２３１に基づいて、利用者１００に合ったメガネフレームの三次元造形モデル２４１を作製して組立部２８０に搬送する。
【００９５】
他方、ステップＳＴ４９において、造形作製センター２００の加工部２７０は、上記指定情報５１１に含まれるレンズデータに基づいてメガネレンズ２７１を加工して、組立部２８０に搬送する。
【００９６】
続いてステップＳＴ５０において、造形作製センター２００の組立部２８０は、造形部２４０で作製された三次元造形モデル２４１のメガネフレームに対して、加工部２７０で加工されたメガネレンズ２７１を組み込んで組立調整を行ない、完成した三次元造形モデル２４１としてのメガネを発送部２５０に搬送する。
【００９７】
最後に、ステップＳＴ５１において、造形作製センター２００の発送部２５０は、組立部２８０からの三次元造形モデル２４１に関して、対応する利用者情報１１２を記憶部２２０から読み出して、この利用者情報１１２に基づいて発送伝票２５１を作製して、この発送伝票を当該三次元造形モデル２４１に添付して利用者１００向けに発送する。
【００９８】
以上で、利用者１００の指定したデザイン及び色のメガネフレームによるメガネ（三次元造形モデル２５１）が利用者１００の元に届けられることになる。なお、完成したメガネを店舗５００に発送する場合には、利用者１００がメガネを受け取りに来た際に、利用者１００のメガネ装着状態をチェックし、より細かい調整を行なうことも可能である。
このようにして、利用者１００の顔にぴったり合ったオーダーメイドのメガネを作製することができる。
【００９９】
本発明はその趣旨を逸脱しない範囲において様々な形態で実施することができる。
【０１００】
例えば、上述した第二の実施形態においては、利用者１００の全身像を三次元造形モデル２４１として作製しているが、これに限らず、半身像あるいは胸像を三次元造形モデルとして作製することも可能である。
【０１０１】
また、上述した第二の実施形態においては、その応用例として利用者１００自身とキャクラタの像を一体化して三次元造形モデル２４１を作製しているが、これに限らず、例えば利用者１００自身と利用者１００の所有するペット等の像を一体化して三次元造形モデルとして作製することも可能である。
【０１０２】
上述のいずれの実施形態においても、記憶部２２０に蓄積した三次元データは、個人情報に属するようなものであればその都度消去することが望ましいが、アーカイブとして蓄積することも可能である。
例えば、第一実施形態の場合において、著名な建築物の三次元データを別サーバー（図示省略）に蓄積し、適宜出力可能にしておけば、この建築物を含む映画セットなどが容易に作成可能である。また、汎用性の高い家屋の一部分などの三次元データを別サーバー（図示省略）に蓄積し、適宜出力可能にしておけば、これらを組み合わせて架空の家屋の三次元造形モデルを作り出すことができる。
【０１０３】
以上述べたように、本発明によれば、簡単な構成により利用者の情報に基づいて、例えば利用者が指定した地形，建物や利用者自身の三次元造形モデル、あるいは利用者にぴったり合ったサイズのメガネフレーム等の三次元造形モデルが提供される。
【図面の簡単な説明】
【０１０４】
【図１】第一実施形態の造形作製システムの構成を示すブロック図である。
【図２】図１の造形作製システムの動作を示すフローチャートである。
【図３】第二実施形態の造形作製システムの構成を示すブロック図である。
【図４】図３の造形作製システムの動作を示すフローチャートである。
【図５】第三実施形態の造形作製システムの構成を示すブロック図である。
【図６】図５の造形作製システムの動作を示すフローチャートである。
【符号の説明】
【０１０５】
１０，２０，３０    造形作製システム
１００  利用者
１１０  端末機器
１１１  造形対象識別情報
１１２  利用者識別情報
１２０  入力部
１３０  通信部
２００  造形作製センター
２１０  通信部
２１１  入力案内情報
２２０  記憶部
２３０  処理部
２３１  造形データ
２３２  第二の造形データ
２３３  数値データ
２４０  造形部
２４１  三次元造形モデル
２５０  発送部
２５１  発送伝票
２６０  仕上げ部
２７０  加工部
２８０  組立部
３００  ネットワーク
４００  地図提供センター
４０１  位置情報
５００  店舗
５１０  端末機器
５１１  指定情報
５２０  入力部
５３０  通信部
５４０  測定部
５４１  三次元データ
５４２  画像データ
【図１】
2009294804.tif 000003
【図２】
2009294804.tif 000004
【図３】
2009294804.tif 000005
【図４】
2009294804.tif 000006
【図５】
2009294804.tif 000007
【図６】
2009294804.tif 000008